(57)【要約】表示装置の一部をシングルビューモードとマルチビューモードとの間で切り換えるように構成する、切換可能の表示装置（１００）を開示する。切換可能の表示装置（１００）は、それぞれの輝度値（２３４〜２４４）及び対応する距離指標（２０２〜２１２）を有する構築要素からなるフォーマットを有する情報信号を受信する受信手段（１０２）と、前記情報信号に基づいて光を発生する光発生手段（１０８）と、表示装置（１００）の一部における、シングルビューモード又はマルチビューモードのいずれかである実際のビューモードに従って、前記発生光を伝達する光学手段（１１０）と、それぞれの距離指標（２０２〜２１２）に基づいて、表示装置（１００）の一部における実際のビューモードを検出するモード検出手段（１０４）とを備える。
2008510340.tif 000002
【特許請求の範囲】
【請求項１】
表示装置の一部をシングルビューモードとマルチビューモードとの間で切り換えるように構成する切換可能の表示装置であって、
それぞれの輝度値及び対応する距離指標を有する構築要素からなるフォーマットを有する情報信号を受信する受信手段と、
前記情報信号に基づいて光を発生する光発生手段と、
前記表示装置の一部における、前記シングルビューモード又は前記マルチビューモードのいずれかの実際のビューモードに従って、前記発生光を伝達する光学手段と、
それぞれの距離指標に基づいて、前記表示装置の一部における実際のビューモードを検出するモード検出手段と、
を備えている、切換可能の表示装置。
【請求項２】
前記モード検出手段は、
前記表示装置の一部に対応する前記距離指標のうちの第１の距離指標が、第１の組の所定値のうちの第１の値と等しい値を有する場合には、前記表示装置の一部における実際のビューモードが、シングルビューモードに対応し、且つ、
前記表示装置の一部に対応する前記距離指標のうちの前記第１の距離指標が、第２の組の所定値のうちの第１の値と等しい値を有する場合には、前記表示装置の一部における実際のビューモードが、マルチビューモードに対応すること、
を検出するように構成する、請求項１に記載の切換可能の表示装置。
【請求項３】
前記第１の組の所定値は、１つの要素からなる、請求項２に記載の切換可能の表示装置。
【請求項４】
前記第１の組の所定値のうちの前記第１の値は、ゼロと等しい、請求項２又は３に記載の切換可能の表示装置。
【請求項５】
前記第１の組の所定値のうちの前記第１の値は、前記第２の組の所定値に対する或る範囲の数値と比べ、比較的高い数値に等しい、請求項２又は３に記載の切換可能の表示装置。
【請求項６】
前記第１の組の所定値のうちの前記第１の値は、前記第２の組の所定値に対する或る範囲の数値に比べ、比較的低い数値に等しい、請求項２又は３に記載の切換可能の表示装置。
【請求項７】
表示装置の一部をシングルビューモードとマルチビューモードとの間で切り換えるように構成する切換可能の表示装置に対するビューモード検出方法であって、
前記表示装置は、
それぞれの輝度値及び対応する距離指標を有する構築要素からなるフォーマットを有する情報信号を受信する受信手段と、
前記情報信号に基づいて光を発生する光発生手段と、
前記表示装置の一部における、前記シングルビューモード又は前記マルチビューモードのいずれかの実際のビューモードに従って、前記発生光を伝達する光学手段とを備え、
それぞれの距離指標に基づいて、前記表示装置の一部における実際のビューモードを検出するステップを含む、ビューモード検出方法。
【請求項８】
表示装置の一部をシングルビューモードとマルチビューモードとの間で切り換えるように構成する切換可能の表示装置に対するビューモードを検出する命令を含む、コンピュータによってロードさせるためのコンピュータプログラムであって、
前記表示装置は、
それぞれの輝度値及び対応する距離指標を有する構築要素からなるフォーマットを有する情報信号を受信する受信手段と、
前記情報信号に基づいて光を発生する光発生手段と、
前記表示装置の一部における、前記シングルビューモード又は前記マルチビューモードのいずれかの実際のビューモードに従って、前記発生光を伝達する光学手段とを備え、
前記コンピュータは、処理手段及びメモリを備え、
ロードされた後の前記コンピュータプログラムは、それぞれの前記距離指標に基づいて、表示装置の一部における実際のビューモードを検出する実行能力を前記処理手段に提供する、コンピュータプログラム。
【請求項９】
それぞれの輝度値及び対応する距離指標を有する構築要素からなるフォーマットを有する、表示装置用の情報信号であって、前記表示装置の一部における、前記シングルビューモード又は前記マルチビューモードのいずれかの実際のビューモードを前記距離指標によって表す、情報信号。
【請求項１０】
前記対応する距離指標が、第１の組の所定値と等しい値を有する場合には、前記表示装置の一部における実際のビューモードが、シングルビューモードに対応し、
前記対応する距離指標が、第２の組の所定値と等しい値を有する場合には、前記表示装置の一部における実際のビューモードが、マルチビューモードに対応する、
請求項９に記載の情報信号。
【請求項１１】
請求項９又は１０に記載の情報信号を含むデータ・キャリア。
【発明の詳細な説明】
【技術分野】
【０００１】
本発明は、表示装置の一部をシングルビューモードとマルチビューモードとの間で切り換えるように構成する切換可能の表示装置に関し、該表示装置は、
それぞれの輝度値及び対応する距離指標を有する構築要素からなるフォーマットを有する情報信号を受信する受信手段と、
前記情報信号に基づいて光を発生する光発生手段と、
前記表示装置の一部における、シングルビューモード又はマルチビューモードのいずれかの実際のビューモードに従って、前記発生光を伝達する光学手段とを備えている。
【０００２】
更に、本発明は、表示装置の一部をシングルビューモードとマルチビューモードとの間で切り換えるように構成する切換可能の表示装置に対するビューモード検出方法に関し、該表示装置は、
それぞれの輝度値及び対応する距離指標を有する構築要素からなるフォーマットを有する情報信号を受信する受信手段と、
前記情報信号に基づいて光を発生する光発生手段と、
前記表示装置の一部における、シングルビューモード又はマルチビューモードのいずれかの実際のビューモードに従って、前記発生光を伝達する光学手段とを備えている。
【０００３】
更に、本発明は、コンピュータによってロードさせるためのコンピュータプログラムに関し、このコンピュータプログラムは、上述したような表示装置の一部をシングルビューモードとマルチビューモードとの間で切り換えるように構成する切換可能の表示装置に対するビューモードを検出する命令を含む。
【０００４】
更に、本発明は、それぞれの輝度値及び対応する距離指標を有する構築要素からなるフォーマットを有する情報信号に関する。
【０００５】
更に、本発明は、そのような情報信号を含むデータ・キャリアにも関する。
【背景技術】
【０００６】
表示装置の導入以来、現実的な３Ｄ表示装置は、多年にわたる夢である。このような表示装置をもたらす多くの原理が、研究されている。幾つかの原理は、現実的な３Ｄオブジェクトを所定の容積で作り出そうとするものである。例えば、SID’03, 1531-1533, 2003 の会報におけるA. Sullivanによる “Solid-state Multi-planar Volumetric Display”と題される論文に開示されているような表示装置では、情報を、高速プロジェクタによってプレーンのアレイに移しかえる。各プレーンは、切換可能なディフューザである。そのようなプレーンの数が十分に多ければ、人間の脳は、画像を統合し、現実的な３Ｄオブジェクトを観察することになる。この原理では、観察者は、或る範囲内のオブジェクトを見回すことができる。この表示装置では、全てのオブジェクトが、（半）透明である。
【０００７】
他の原理の多くは、両眼視差のみに基づいて３Ｄ表示装置を作り出そうとするものである。これらのシステムでは、観察者の左右の眼が、別々のイメージを知覚し、従って、観察者は３Ｄイメージを知覚する。これらのコンセプト以外の概要については、１９９３年におけるプリンストン大学の出版物であるD. F. McAlister(編集)による “Stereo Computer Graphics and Other True 3D Technologies”と題される書籍に開示されている。第１の原理は、例えばＣＲＴと組み合わせるシャッタ眼鏡を用いるものである。奇数フレームを表示する場合には、左眼用の光を遮断し、偶数フレームを表示する場合には、右眼用の光を遮断する。
【０００８】
付加的な器具を必要とせずに３Ｄ表示する表示装置は、自動立体表示装置と称される。
【０００９】
第１の眼鏡不要の表示装置は、観察者の左右の眼に向かう円錐状の光を作り出すバリアを備えている。各円錐光は、例えば奇数列及び偶数列のサブ画素に対応する。適切な情報で、これらの画素列をアドレス指定することにより、観察者は、正しいスポット位置に居る場合には、左右の眼で異なるイメージを得ることになり、３Ｄ画像を知覚することができるようになる。
【００１０】
第２の眼鏡不要の表示装置は、奇数列及び偶数列のサブ画素の光を、観察者の左眼及び右眼に結像するレンズのアレイを備えている。
【発明の開示】
【発明が解決しようとする課題】
【００１１】
上述した眼鏡不要の表示装置の欠点は、観察者が固定位置に留まっていなければならないことにある。観察者を誘導するために、観察者が正しい位置に居ることを観察者に示すための指標が提案されている。例えば、米国特許第５９８６８０４号を参照すると、そこではバリアプレートを、赤色及び緑色のＬＥＤと組み合わせる。観察者が良好な位置に居る場合には、観察者は、緑色光、そうでなければ赤色光を見ることになる。
【００１２】
観察者が固定位置に留まることから解放させるために、マルチビューの立体表示装置が提案されている（例えば、米国特許第６００６４４２４号及び米国特許第２００００９１２号を参照）。米国特許第６００６４４２４号及び米国特許第２００００９１２号に開示される表示装置では、偏向レンチキュラを用い、このレンチキュラの幅を２つのサブ画素より大きくしている。このようにして、互いに隣り合う幾つかのイメージが得られ、観察者は、左右に動くのに幾らかの自由度がある。
【００１３】
自動立体表示装置の欠点は、３Ｄイメージの生成で生じる解像度の損失にある。これらの表示装置にとっては、２Ｄモードと３Ｄモード、即ち、シングルビューモードとマルチビューモードとの間で切換可能とするのが有利である。比較的高解像度が要求される場合には、シングルビューモードは、高い解像度を呈するから、シングルビューモードに切り換えることができる。
【００１４】
このような切換可能の表示装置の一例は、１９９８年のSPIE3295の会報におけるJ. Eichenlaubによる “A lightweight compact 2D/3D auto-stereoscopic LCD backlight for games, monitor and notebook applications”と題される論文に開示されている。そこでは、切換可能なディフューザを用いて、２Ｄモードと３Ｄモードとを切り換えることが開示されている。切換可能な自動立体表示装置の別の例は、国際公開第ＷＯ２００３／０１５４２４号パンフレットに開示されており、ここでは、液晶（ＬＣ）ベースのレンズを用いて、切換可能なレンチキュラを作成している。
【００１５】
原理上は、表示装置全体を、２Ｄから３Ｄに、逆もまた同様に、切り換えることができる。或いは又、表示装置の一部のみが切り換えられる。ビューモードを切り換えるためには、入力として適切な制御情報が必要とされる。
【００１６】
本発明の目的は、表示装置の一部を、比較的簡単な方法で、要求される実際のビューモードに定めるように構成する、冒頭で述べた種類の切換可能の表示装置を提供することにある。
【課題を解決するための手段】
【００１７】
本発明の目的は、切換可能の表示装置が、この表示装置の一部における実際のビューモードをそれぞれの距離指標に基づいて検出するモード検出手段を備えるようにして達成される。
【００１８】
シングルビューモード及びマルチビューモードと云う代わりに、二次元（２Ｄ）モード及び三次元（３Ｄ）モードと云うこともできる。
【００１９】
それぞれの輝度値及び対応する距離指標を有する構築要素からなるフォーマットを有する情報信号は、マルチビューフォーマット信号として従来技術において既知である（例えば、３ＤビデオフォーマットＲＧＢＤ＝赤、緑、青、深度として、或いは、“イメージ＋深度”、又はフレーム／ｚバッファとして）。ｚバッファ（ｚマップ、深度マップ、又はＤ成分としても知られる）は、標準の２Ｄイメージを伴い、また、この状態でのｚバッファは、フレームバッファとも称される。フレームバッファは、全ての画素のカラー値／輝度値を格納し、ｚバッファは、全ての画素のｚ位置を格納する。従って、このような状況では、構築要素は、画素に対応するデータ要素が、輝度値及び対応する距離指標を有することを意味する。典型的には、従来技術において用いられる情報信号は、これらの距離指標を含み、距離指標は、所定範囲の値、即ち、第１の所定値から第２の所定値までの範囲の値に相当する。
【００２０】
本発明によれば、情報信号は、距離指標が２つの異なる態様、即ちビューモードと距離とを表すようにコード化する。本発明によるモード検出手段は、距離指標の双方の態様を解釈するように構成する。特定の距離指標の実際の値は、シングルビューモードとマルチビューモードのいずれが表示装置の一部に要求されるかを示し、表示装置には、対応する輝度値に基づいて所定の光量を発生すべく構成した光発生源を位置づける。また、特定の距離指標の実際の値は、レンダリング用の実際の深度指標として用いることもできる。典型的には、ビューモードがシングルビューモードに対応する旨を距離指標が示す場合には、シングルビューモードでは１つの深度しかないため、通常、実際の深度値は無関係である。
【００２１】
本来既知の情報信号を、本発明による新規で進歩的なやり方で用いることは、下位互換性（backward compatibility）が与えられることになるため、有利であることは明らかである。従来技術によるシステムは、例えばＲＧＢＤデータを生成して、送信し、受信し、格納するか、処理するように構成する。本発明による切換可能の表示装置は、更に、距離指標の値の追加的な解読に基づいて、表示装置の一部を、要求される実際のビューモードに切り換えるように構成する。これは、システム間、例えばＲＧＢＤデータを転送するように構成した、例えばデータソースと切換可能の表示装置との間の既知の物理的回線を、要求される実際の表示モードを示すのに用いることもできることを意味している。
【００２２】
本発明による表示装置の実施例において、モード検出手段は、
表示装置の一部に対応する距離指標のうちの第１の距離指標が、第１の組の所定値のうちの第１の値と等しい値を有する場合には、表示装置の一部における実際のビューモードが、シングルビューモードに対応し、且つ、
表示装置の一部に対応する距離指標のうちの第１の距離指標が、第２の組の所定値のうちの第１の値と等しい値を有する場合には、表示装置の一部における実際のビューモードが、マルチビューモードに対応すること、を検出するように構成する。
【００２３】
好適には、第１の組の所定値は、１つの要素、例えば、所定値ゼロのみからなるようにする。或いは又、第１の組の所定値の要素は、第２の組の所定値に対する或る範囲の数値に比べて比較的高い数値、又は、第２の組の所定値に対する或る範囲の数に比べて比較的低い数値に等しくなるようにする。
【００２４】
シングルビューモード及びマルチビューモードを示す値は、別のやり方でもできることは明らかである。以下、多数の例を示すが網羅的ではない。
【００２５】
【表１】
2008510340.tif 000003
【００２６】
本発明の更なる目的は、冒頭に述べた種類の方法を提供することにあり、比較的簡単な方法で、表示装置の一部における、要求される実際のビューモードを決定することにある。
【００２７】
この本発明の目的は、本発明の方法が、それぞれの距離指標に基づいて表示装置の一部における実際のビューモードを検出するステップを含むことで達成される。
【００２８】
本発明の更なる目的は、冒頭で述べた種類のコンピュータプログラムを提供することにあり、比較的簡単な方法で、表示装置の一部における、要求される実際のビューモードを決定することにある。
【００２９】
この本発明の目的は、ロードされた後のコンピュータプログラムが、それぞれの距離指標に基づいて表示装置の一部における実際のビューモードを検出する実行能力を、前記処理手段に提供することで達成される。
【００３０】
コンピュータプログラムは、表示装置にて実行させることができることは明らかである。或いは又、コンピュータプログラムは、別個の装置で実行させることができ、そのような別の装置は、情報信号を受信して、視覚情報及び実際のビューモード情報の双方を、その別の装置に接続される表示装置に供給する。
【００３１】
本発明の更なる目的は、冒頭にて述べた種類の信号を提供することにあり、その信号から表示装置の一部における、要求される実際のビューモードを比較的簡単な方法で決定することができる。
【００３２】
この本発明の目的は、表示装置の一部における実際のビューモードを距離指標により表すことで、達成される。
【００３３】
本発明の更なる目的は、冒頭に述べた種類のデータ・キャリアを提供することにあり、このデータ・キャリアから表示装置の一部における、要求される実際のビューモードを比較的簡単な方法で決定することができる。
【００３４】
この本発明の目的は、表示装置の一部における実際のビューモードを距離指標により表すことで、達成される。
【００３５】
データ・キャリアは、ＣＤ、ＣＤ−ＲＯＭ、ＣＤ−ＲＷ、又はＤＶＤのような光記憶デバイスとすることができる。或いは又、データ・キャリアは、固体又はテープに基づくものとすることができる。
【００３６】
切換可能の表示装置の変更及び変形は、前述したような、情報信号、データ・キャリア、方法及びコンピュータプログラムの変更及び変形に対応させることができる。
【００３７】
本発明による、切換可能の表示装置、情報信号、データ・キャリア、方法及びコンピュータプログラムのこれらの態様及び他の態様は、図面を参照しての、後述する実現例及び実施例から明らかとなるであろう。
【発明を実施するための最良の形態】
【００３８】
図１は、本発明による切換可能の表示装置１００の実施例を概略的に示す。この切換可能の表示装置１００は、ビューモードを切り換えるように構成する。シングルビューモード（２Ｄビューモードとも称する）では、１つのイメージのみを生成する。換言すれば、シングルビューモードでは、比較的大きい視野角を有する視認角度で見ることができる、単一のイメージを生成する。マルチビューモード（３Ｄビューモードとも称する）では、複数のイメージを生成する。これらのイメージは、異なる視認角度で見ることができ、各視認角度は、シングルビューモードの視認角度より、かなり小さい視野角を有する。例えば、マルチビューモードのビューの数は、９とする。典型的には、視認角度は、表示装置１００に対して適切に位置している観察者の、左眼には第１のビューが、及び、右眼には第２のビュー（第１のビューと相関関係にあるビュー）が与えられて、３Ｄの印象が得られるようにする。
【００３９】
或いは又、異なるビューが相関関係に無く、第１の観察者が、第１のビューのみを知覚し、第２の観察者が、第２のビューのみを知覚するようにすることもできる。この場合、二人の観察者は、彼ら固有のイメージを、同時に見ることができる。
【００４０】
切換可能の表示装置１００は、全面的に、又は部分的にのみ、切り換えるように構成する。即ち、表示装置１００の全体をシングルビューモード又はマルチビューモードにするか、或いは、表示装置１００の第１の部分はシングルビューモードにするも、第２の部分はマルチビューモードとすることができる。例えば、表示装置の大部分をシングルビューモードにするも、あるウィンドウはマルチビューモードとすることができる。
【００４１】
表示装置１００は、
入力コネクタ１０６に供給される情報信号を受信する受信ユニット１０２と、
前記情報信号に基づいて、光を発生する光発生ユニット１０８と、
表示装置の実際のビューモードに従って、前記発生光を伝達する光指向ユニット１１０と、
受信ユニット１０２で受信した情報信号に基づいて、光発生ユニット１０８に供給すべき駆動値を計算するように構成したイメージレンダリングユニット１１２と、
前記情報信号内の対応する距離指標の値に基づいて、表示装置の一部における実際のビューモードを検出する検出ユニット１０４とを備えている。
【００４２】
情報信号は、それぞれの輝度値及び対応する距離指標を有する構築要素からなるフォーマットを有している。例えば、情報信号は、ＲＧＢＤフォーマットを有するビデオ信号とする。輝度値は、ＲＧＢ成分で表されることに留意すべきである。Ｄ（深度）成分は、距離指標に対応する。或いは又、ＹＵＶＤフォーマットを、入力として表示装置１００に供給するのに用いることもできる。情報信号は、アンテナ又はケーブルを経て受信される放送信号とすることができるが、ＶＣＲ（ビデオカセットレコーダ）又はデジタル多用途ディスク（DVD）のような記憶デバイスからの信号とすることもできる。
【００４３】
光発生ユニット１０８は、駆動信号に基づいて変調される光発生素子のマトリックスを備え、駆動信号は、情報信号の輝度成分に基づく信号である。光発生ユニット１０８は、液晶ディスプレイ（ＬＣＤ）に基づくものとするのが好適である。
【００４４】
光指向ユニット１１０は、制御可能な視差バリアに基づくものとすることができる。制御可能であることは、光吸収量が一定でないことを意味している。例えば、第１の状態では、視差バリアをターン・オフさせる。これは、視差バリアが、発生光を吸収しないことを意味する。この第１の状態では、切換可能の表示装置１００は、シングルビューモードにある。第２の状態では、視差バリアを、ターン・オンさせる。これは、視差バリアが、或る方向の光を吸収することを意味する。この第２の状態では、切換可能の表示装置１００は、マルチビューモードにある。随意に、視差バリアの位置を制御することができ、眼の動きに応じて光を方向付けすることができる。
【００４５】
光指向ユニット１１０は、レンズに基づくものとすることが好適である。シングルビューモードとマルチビューモードとの間で切り換えるために、光指向ユニット１１０は、随意、ディフューザを備える。或いは又、光指向ユニット１１０は、切換可能のレンズを備えるか、又は、切換可能のレンズと協働して、レンズの効果を補償するように構成した手段を備えることもできる。
【００４６】
画像レンダリングユニット１１２は、受信ユニット１０２によって受信されるような情報信号に基づいて光発生ユニット１０８に供給すべき駆動値を計算するように構成する。駆動値は、情報信号の輝度値に直接基づくものとすることができる。これは、受信した信号の輝度値とイメージレンダリングユニット１１２の出力値との間に１対１の関係があることを意味している。この場合、イメージレンダリングユニットは、単に駆動値を通過させるだけである。しかしながら、受信したイメージデータとイメージ表示装置の解像度との間の、イメージ解像度に差があることがある。この場合には、イメージスケーリングが必要となる。
【００４７】
受信されるイメージデータは、シングルビューのデータ及び対応する深度値を含むが、マルチビューモードが要求されることもある。この場合には、受信されるシングルビューと対応する深度値、即ち、距離指標に基づいて、多数の追加のビューを計算する必要がある。このタイプのレンダリングの例については、P. A. Redert、E. A. Hendriks及びJ. Biemondによる“Synthesis of multi viewpoint images at non-intermediate positions” （International Conference on Acoustics, Speech, and Signal Processingの会報, Vol.IV, ISBN0-8186-7979-0, 2749-2752ページ, IEEE Computer Society, カリフォルニア州ロスアラミトス、１９９７年）と題される論文に開示されている。或いは又、レンダリングについて、R. P. Berrety及びF. E. Ernstによる“High-quality images from 2.5D video”(Eurographics, Canada, 2003, Short Note 124) と題される記事に開示されている。
【００４８】
検出ユニット１０４は、各サブ画素に対する実際のビューモードを検出すべく、即ち、情報信号における対応する距離指標の値に基づいて、光発生ユニット１０８の光発生素子とは無関係に、実際のビューモードを独立して制御し得るように構成する。距離指標の値が、第１の所定範囲内にある場合には、対応するサブ画素をシングルビューモードにする必要がある。距離指標の値が第２の所定範囲内にある場合には、対応するサブ画素はマルチビューモードにする必要がある。
【００４９】
受信ユニット１０２、イメージレンダリングユニット１１２及び検出ユニット１０４は、１つのプロセッサを用いて実現することができる。通常、これらの機能は、ソフトウェアプログラムの制御下で実行される。実行の際、通常、ソフトウェアプログラムは、RAMなどのメモリにロードされ、それらから実行される。ソフトウェアプログラムは、ＲOＭ、ハードディスク、又は、磁気的及び／又は光学的記憶装置などのバックグラウンドメモリからロードすることができ、或いは、インターネットなどのネットワークを経てロードすることもできる。随意、特定用途向けの集積回路によって、開示したような機能性を用立てることができる。
【００５０】
本発明による切換可能の表示装置１００は、例えばテレビジョン（ＴＶ）とすることもできる。随意、画像処理装置１００として、ハードディスクなどの記憶手段、又は、例えば光ディスクのような取り外し可能な媒体に記憶する手段を備えることもできる。  
【００５１】
図２Ａ〜２Ｄは、情報信号を含むデータ・キャリア２００、及び切換可能の表示装置１００の対応するビューを示す。データ・キャリア２００は、それぞれの輝度値２３４〜２４４及び対応する距離指標２０２〜２１２を有する構築要素からなるフォーマットを有する情報信号を含んでいる。輝度値は、いわゆるＲＧＢ値で保持される。輝度の実際の値は、図２Ａ〜２Ｄには示していない。距離指標の値は、図２Ａ〜２Ｄに示してある。例えば、図２Ａでは、距離指標の実際の値は、互いに等しく、即ち、全てゼロである。
【００５２】
データ・キャリア２００は、そのような情報信号を含む光ディスクとすることができる。或いは又、情報信号は、特定のフォーマットに符号化する。
【００５３】
切換可能の表示装置１００は、多数の光発生素子２１４〜２２４を備えている。これら光発生素子の各々は、特定のビューに寄与することができる。実際のビューが、図２Ａ〜２Ｄに示してある。例えば、図２Ａでは、実際のビューの数は、互いに等しく、即ち、この場合のビューの数は１である。これは、１つのビューしかないことを意味しており、即ち、表示装置全体は、シングルビューモードにあることを意味している。
【００５４】
第１の輝度値２３４と第１の距離指標２０２とを含む情報信号の第１の構築要素を、図２Ａでは、第１の光発生素子２１４にマップする。本発明による切換可能の表示装置１００は、対応する第１の距離指標２０２に基づいて、第１の光発生素子２１４に対する実際のビューモードを決定するように構成する。この場合、第１の距離指標２０２の値は、シングルビューモードが要求されていることを意味しているゼロに等しい。光指向ユニット１１０は、それ相応に制御され、適切な駆動値が第１の光発生素子２１４に供給される。
【００５５】
図２Ｂでは、距離指標の値が、互いに異なることを示している。これは、マルチビューモードが要求されていることを意味しており、従って、光指向ユニット１１０は、それ相応に制御される。図２Ｂでは、種々の光発生素子が、種々のビュー１〜９に寄与することを明示している。図２Ｂは、表示装置１００の全体がマルチビューモードにあることを示している。
【００５６】
図２Ｃでは、距離指標の値の一部が、互いに等しく、全て第１の所定範囲内にあることを示している。対応する光発生素子は、同一のビュー、即ち、シングルビューモードに寄与する。それ以外に、マルチビューモードにある光発生素子のウィンドウもある。
【００５７】
図２Ａ〜２Ｃについて述べた例では、情報信号の値とそれぞれの光発生素子との間には、１対１の関係があった。図２Ｄは、データ・キャリアに格納されているようなシングルビューに基づいて、複数のビューを作り出す一例を概略的に示している。これを達成するのに必要とされる、レンダリングのタイプは、図１について上述したとおりである。
【００５８】
上述の実施例は、本発明を制限するものではなく、当業者であれば特許請求の範囲から逸脱することなく他の実施例を構成できることは明らかである。特許請求の範囲について、かっこ内に示すことがある如何なる参照記号も、特許請求の範囲を制限するものではない。用語‘備える（含む）’は、特許請求の範囲にリストされていない要素又はステップの存在を除外するものではない。単数で表す各要素は、そのような複数の要素の存在を除外するものではない。本発明を、幾つかの別の要素を備えるハードウェアによって、及び、好適にプログラムされたコンピュータによって実現することができる。様々な手段を備える装置の請求項では、これら手段の幾つかを、１つの同一手段からなるハードウェアで実施することができる。第１、第２、第３などの用語の使用は、如何なる順序づけも示すものではない。これらの用語は、名称として解釈されるべきである。
【図面の簡単な説明】
【００５９】
【図１】本発明による切換可能の表示装置の一実施例を示す概略図である。
【図２Ａ】情報信号を含むデータ・キャリア、及び切換可能の表示装置の対応するビューを示す概略図である。
【図２Ｂ】情報信号を含むデータ・キャリア、及び切換可能の表示装置の対応するビューを示す概略図である。
【図２Ｃ】情報信号を含むデータ・キャリア、及び切換可能の表示装置の対応するビューを示す概略図である。
【図２Ｄ】情報信号を含むデータ・キャリア、及び切換可能の表示装置の対応するビューを示す概略図である。
【図１】
2008510340.tif 000004
【図２Ａ】
2008510340.tif 000005
【図２Ｂ】
2008510340.tif 000006
【図２Ｃ】
2008510340.tif 000007
【図２Ｄ】
2008510340.tif 000008
【国際調査報告】
2008510340.tif 000009
2008510340.tif 000010
2008510340.tif 000011